(57)【要約】【課題】遊技者の遊技意欲を高めるとともに、遊技場での会員登録を促進することができる遊技場用システムを提供すること。【解決手段】アプリケーションプログラムをダウンロードするとともに、アプリケーションプログラムを実行することによりサーバ装置１００にアクセスして遊技情報を閲覧可能な携帯端末１５を備える遊技場用システム１であって、携帯端末１５は、個人情報登録プログラムを含むアプリケーションプログラムの実行により遊技者の個人情報を記憶すると共に、遊技者による個人情報出力操作に応じて個人情報を出力し、サーバ装置１００は、会員登録の処理を実行する際に携帯端末１５が出力した個人情報を取り込む。【選択図】図１
2017099427.tif 000002
【特許請求の範囲】
【請求項１】
複数の遊技場に関する遊技情報を記憶する遊技情報サーバと、
前記遊技情報を閲覧するためのアプリケーションプログラムを記憶するアプリケーションサーバと、
複数の遊技場各々に設置され、当該遊技場において会員登録を行うために入力された遊技者の個人情報を記憶する遊技場サーバと、
遊技者が所持し、前記アプリケーションサーバからアプリケーションプログラムをダウンロードするとともに、当該アプリケーションプログラムを実行することにより前記遊技情報サーバにアクセスして遊技情報を閲覧可能な携帯端末装置と、を備えた遊技場用システムにおいて、
前記アプリケーションプログラムは、前記遊技者の個人情報を登録するための個人情報登録プログラムを含み、
前記携帯端末装置は、前記個人情報登録プログラムを実行することにより遊技者が入力した個人情報を記憶するとともに、遊技者による個人情報出力操作に応じて当該個人情報を出力し、
前記遊技場サーバは、会員登録の処理を実行する際に前記携帯端末装置が出力した個人情報を取り込むように構成されたことを特徴とする遊技場用システム。
【請求項２】
前記携帯端末装置は、前記個人情報を二次元コード化して表示出力し、
前記遊技場サーバは、前記携帯端末装置が表示出力した二次元コードを読取装置で読み取ることにより、前記個人情報を取り込むことを特徴とする請求項１に記載の遊技場用システム。
【発明の詳細な説明】
【技術分野】
【０００１】
本発明は、遊技場用システムに関する。
【背景技術】
【０００２】
従来、例えば下記の特許文献１に記載されているように、多くの遊技場においては会員登録した遊技者に対して各種のサービスを提供するのが一般的となっている。具体的には、遊技場内で所定の申込用紙に氏名、住所、年齢等の必要事項を記入して遊技場に提出すると、遊技場のサーバにそれらの情報が登録されると共に会員カードが遊技者に発行され、以降その会員カードを所定の設備機器で使用することにより、例えば貯玉サービスや遊技情報閲覧サービス等を受けることができる仕組みとなっている。また、下記の特許文献２には、ウェブサイト上で特定の遊技場の会員登録手続を行うことも記載されており、遊技場内で行う手続と同じ手続をウェブサイト上で行うと、会員カードが後日郵送されてくるようになっている。
【先行技術文献】
【特許文献】
【０００３】
【特許文献１】特開２００５−２９６２３５号公報
【特許文献２】特開２０１４−１８３９３２号公報
【発明の概要】
【発明が解決しようとする課題】
【０００４】
上記のようなサービスは遊技者にとって有益であり、会員登録することに一定の意義はあるといえるが、会員登録の手続が面倒であるという理由で会員登録することに対して消極的な遊技者が少なくないという問題がある。
【０００５】
本発明は、前記従来の問題点に鑑みてなされたものであり、遊技者の遊技意欲を高めると共に、遊技場での会員登録を促進することができる遊技場用システムを提供するものである。
【課題を解決するための手段】
【０００６】
本発明の遊技場用システムにおいてダウンロード可能なアプリケーションプログラムは、遊技情報を閲覧するためのプログラムであるほか、遊技者の個人情報を登録するための個人情報登録プログラムを含んでいる。このアプリケーションプログラムをダウンロードした携帯端末装置は、個人情報出力操作に応じて個人情報を出力できる。遊技場サーバは、会員登録の処理を実行する際、携帯端末装置が出力した個人情報を取り込むように構成されている。
【０００７】
本発明の遊技場用システムによれば、携帯端末装置にアプリケーションプログラムをダウンロードした遊技者に対して各遊技場の遊技情報を提供することにより、遊技者の遊技意欲を高めることができる。そして、アプリケーションプログラム上で予め個人情報を登録しておくことによって遊技場内で会員登録を行う際にいちいち個人情報を手入力する必要がなくなり、特に複数の遊技場で会員登録する場合の手続の負担が極めて小さくなる。
【０００８】
これにより、本発明の遊技場用システムによれば、会員登録する際の手続の負担を軽減することにより、遊技場での会員登録を促進することができる。
【図面の簡単な説明】
【０００９】
【図１】遊技場用システムの構成を示すシステム図。
【図２】遊技機に付設される遊技情報表示装置を示す正面図。
【図３】遊技情報表示装置の電気的構成を示すブロック図。
【図４】管理装置が管理する各遊技機の遊技データを例示する説明図。
【図５】管理装置が管理する会員マスタデータを例示する説明図。
【図６】管理装置が管理する会員個別遊技データを例示する説明図。
【図７】サーバ装置の記憶データを例示する説明図。
【図８】携帯端末で表示される（ａ）ログイン画面及び（ｂ）メニュー画面を示す正面図。
【図９】２次元コードを表示する携帯端末を例示する説明図。
【発明を実施するための形態】
【００１０】
本発明の実施の形態につき、以下の実施例を用いて具体的に説明する。
（実施例１）
本例は、登録済みの会員に対して各種のサービスを提供する遊技場用システム１に関する例である。この内容について、図１〜図９を用いて説明する。
【００１１】
図１の遊技場用システム１は、複数の遊技機２が設置される複数の遊技場に対応可能に構築されている。この遊技場用システム１では、携帯端末（携帯端末装置）１５向けのアプリケーションプログラム（以下、単にアプリケーションという。）をサーバ装置１００からダウンロードでき、アプリケーション上で、各遊技場での会員登録（ホール会員登録）に必要な個人情報の事前登録が可能である。携帯端末１５で事前に個人情報を登録してあれば、各遊技場の携帯端末登録装置２６に携帯端末１５の画面表示を読み取らせるだけで各遊技場でのホール会員登録を完了できる。
【００１２】
各遊技場では、パチンコ遊技機２１やスロットマシン２２等の遊技機２に対して、玉やメダルなどの遊技媒体を貸し出す貸出装置２５、遊技情報表示装置３等が個別に設置されている。さらに、２台の遊技機２毎に、中継装置２９が１台ずつ設置されている。景品交換カウンタ（図示略）には、持玉を景品に交換するＰＯＳ端末（図示略）のほか、携帯端末登録装置２６が数台設置され、管理スペースには、遊技場内の各種の機器の稼動状況を集中的に管理するための管理装置２０が設置されている。
【００１３】
図１の貸出装置２５は、各遊技機２の側方に設置される縦長の装置である。パチンコ遊技機２１向けの貸出装置２５は、遊技機２の左側に設置され、現金等の対価の投入に応じて遊技媒体である玉を貸し出す。スロットマシン２２向けの貸出装置２５は、遊技機２の右側に設置され、現金等の対価の投入に応じて遊技媒体であるメダルを貸し出す。貸出装置２５は、遊技場に会員登録したホール会員に付与される会員カード１７の記録情報を読み書きする図示しないカードリーダライタを備え、前面のカード挿入口２５５から会員カード１７を挿入可能である。
【００１４】
各遊技場では、管理装置２０が通信可能に接続された有線ＬＡＮ等の場内ネットワーク２００が構築されている。遊技機２は、対応する遊技情報表示装置３、及び貸出装置２５と共に、中継装置２９を介して場内ネットワーク２００に接続されている。場内ネットワーク２００を利用した各遊技場の遊技場内システム１０では、遊技情報表示装置３等の周辺装置を含めた遊技機２側と管理装置２０との間の各種の通信が中継装置２９を介して実現されている。さらに、各遊技場の遊技場内システム１０は、インターネット回線等の公衆通信回線に接続された管理装置２０を介して場外のサーバ装置１００と通信可能な状態で接続されている。
【００１５】
次に、遊技機２について概説すると共に、遊技場用システム１を構成する機器の一例である遊技情報表示装置３、携帯端末１５、管理装置２０、携帯端末登録装置２６、サーバ装置１００について説明する。
（遊技機）
図１に例示の遊技機２には、大きく分類して、パチンコ遊技機２１とスロットマシン２２とがある。
パチンコ遊技機２１は、遊技媒体である玉を発射して遊技される遊技機である。図１に例示するパチンコ遊技機２１は、始動入賞口への入賞に応じて大当たり抽選を実行する、いわゆるセブン機と称呼される遊技機である。このパチンコ遊技機２１は、大当たり抽選に応じて図柄変動を実行するゲームを開始し、大当たり図柄の停止表示により大当たり当選を報知する。大当たり当選が発生すれば、大入賞口が開放されるラウンドが複数回繰り返される有利な大当たり状態に移行できる。
【００１６】
このようなパチンコ遊技機２１が遊技の進行中に外部出力する遊技信号としては、例えば、以下の信号がある。これらの遊技信号は、中継装置２９を経由して遊技情報表示装置３や貸出装置２５等に出力されるほか、遊技機２の識別情報である台番ＩＤが対応付けされた状態で管理装置２０に送信される。
【００１７】
（１）アウト信号：玉を１０個発射する毎に１回出力される信号。
（２）セーフ信号：入賞に応じて玉を１０個払い出す毎に１回出力される信号。
（３）スタート信号：図柄変動がスタートしたときに１回出力される信号。
（４）大当たり信号：大当たり状態の発生中に継続的に出力されるレベル信号。
【００１８】
スロットマシン２２は、規定数のメダルを対価として図柄変動ゲームを開始でき、停止表示された図柄の組み合わせが入賞図柄のとき入賞が発生する遊技機である。入賞図柄としては、ＢＢ（ビッグボーナス）に対応するＢＢ図柄や、ＲＢ（レギュラーボーナス）に対応するＲＢ図柄や、ＡＲＴ（アシストリプレイタイム）に対応するＡＲＴ図柄のほか、５枚役や２枚役等の小役に対応する小役図柄が設定されている。
【００１９】
スロットマシン２２では、ゲーム開始時に内部抽選が実行され、内部抽選に当選した役に対応する図柄が停止表示されたときにその役の入賞が発生する。内部抽選に当選しても対応する図柄を停止表示できないと、取りこぼしによりハズレとなる。ＢＢ図柄、ＲＢ図柄が停止表示されるとＢＢ役あるいはＲＢ役が入賞し、これにより特定の払い出し役の入賞確率が高くなる等の有利な大当たり状態であるＢＢあるいはＲＢが発生する。また、ＡＲＴ役が入賞すると、内部当選した役の種類が報知されると共に、メダルを消費することなく次のゲームを実行できるという利益が付与されるリプレイ役の入賞頻度が高くなる有利なＡＲＴが発生する。
【００２０】
スロットマシン２２が遊技の進行中に外部出力する遊技信号としては、例えば以下の信号がある。
（１）アウト信号：メダルを１枚消費する毎に１回出力される信号。
（２）セーフ信号：入賞に応じてメダルを１枚払い出す毎に１回出力される信号。
（３）ＢＢ信号：ＢＢの発生中に出力されるレベル信号。
（４）ＲＢ信号：ＲＢの発生中に出力されるレベル信号。
（５）ＡＲＴ信号：ＡＲＴの発生中に出力されるレベル信号。
【００２１】
（遊技情報表示装置）
図１及び図２の遊技情報表示装置３は、大型の液晶ディスプレイよりなる液晶表示部３３を備える装置であり、遊技機２の上方に設置される。液晶表示部３３の画面３３０の下側には、呼出ボタン３４１、データ切替ボタン３４３及び携帯用リーダ３４５が配置され、上側には、ランプ部３２が配設されている。液晶表示部３３は、タッチパネル３３１が積層されたタッチ操作可能な表示部である。液晶表示部３３の画面３３０には、大当たり履歴や過去の遊技情報等、各種の情報が表示される。
【００２２】
遊技情報表示装置３は、制御部４１を中心として電気的に構成されている。制御部４１は、ソフトウェアを実行して各種演算を実施するＣＰＵ４１１、メモリ手段としてのＲＯＭ４１２、ＲＡＭ４１４、信号の入出力を行うＩ／Ｏ部４１５を含んでいる。制御部４１に対しては、外部と信号の送受信を実行する送受信部４８、液晶表示部３３、従業員の呼出機能を有するランプ部３２、タッチパネル３３１、呼出ボタン３４１、データ切替ボタン３４３、携帯用リーダ３４５等が電気的に接続されている。携帯用リーダ３４５は、近距離無線通信（ＮＦＣ）に対応する携帯端末１５との間でデータ通信を実行し、携帯端末１５の識別情報である端末ＩＤ等を読み込むデータリーダである。
【００２３】
例えば送受信部４８が中継装置２９を経由してスロットマシン２２から取り込む遊技信号としては、（１）投入信号、（２）払出信号、（３）スタート信号、（４）ボーナス信号（ＢＢ信号、ＲＢ信号）等がある。遊技情報表示装置３は、スロットマシン２２側から取り込んだ遊技信号について取込回数を集計等することで例えば以下の各遊技データ（遊技情報）を生成する。
【００２４】
（１）ボーナス回数：大当たり状態であるボーナス状態の発生回数。
（２）ボーナス間スタート回数：直前のボーナス状態が終了してからのスタート回数（ゲーム回数）。
（３）本日累計スタート回数：当日、開店後の累計のスタート回数。
（４）差メダル数：遊技者側から見たメダル収支。払出信号を受信する毎に１枚ずつ加算される払出枚数から、投入信号を受信する毎に１枚ずつ加算される投入枚数を差し引いて差メダル数が演算される。
【００２５】
遊技情報表示装置３は、生成した遊技データを画面３３０に表示可能である。例えば図２に例示の画面３３０では、向かって左側の上から順番に、本日、前日、前々日のボーナス回数（ＢＢ回数、ＲＢ回数）の表示欄３６１、３６３、３６５が配置されている。画面３３０の右側には、上から順番に、過去最高ＢＢ回数、ボーナス間ゲーム数、前日最終ゲーム数、本日累計ゲーム数の表示欄３７１、３７３、３７４、３７５が配置されている。画面３３０の中央下部には、ボーナス１０回分のボーナス間ゲーム数グラフの表示領域３８が設けられている。画面３３０の中央上部には、大領域の表示領域３９が設けられている。画面３３０の表示は、データ切替ボタン３４３の操作に応じて適宜切り替え可能である。
【００２６】
（携帯端末）
図１の携帯端末１５は、例えば、タッチパネルディスプレイである画面１５０を備えるスマートフォン（多機能型携帯電話）等の通信端末である。携帯端末１５は、遊技者が所持し、アプリケーションサーバとしてのサーバ装置１００からアプリケーションをダウンロードすると共に、アプリケーションを実行することにより遊技情報サーバとしてのサーバ装置１００にアクセスして遊技情報を閲覧可能な携帯端末装置である。
【００２７】
インターネット回線に接続可能なスマートフォン等の携帯端末１５であれば、所定のアプリケーションをダウンロードすることで遊技場用システム１に対応する端末として利用可能であり、遊技場用システム１が提供するサービスを遊技場内外から利用できる。さらに、本例の携帯端末１５は、ＧＰＳ（Global Positioning System）を利用して自位置を計測するＧＰＳ機能や、遊技情報表示装置３とのデータ通信を実現する近距離無線通信（ＮＦＣ）機能等を備えている。
【００２８】
所定のアプリケーションをダウンロードした携帯端末１５は、少なくとも以下の各手段としての機能を実現できる。
（１）個人情報登録手段：利用者である遊技者が登録した氏名、生年月日、性別、住所、暗証番号等の個人情報を記憶する手段。この個人情報登録手段としての機能は、遊技者の個人情報を登録するためにアプリケーションに含められた個人情報登録プログラムにより実現される。
（２）コード表示手段：アプリケーションのアカウントＩＤと共に登録された個人情報を２次元コード化して画面１５０に表示する手段。
（３）遊技場案内手段：ＧＰＳ機能により計測された自位置を基準として近隣の遊技場を特定し、案内情報を表示する手段。
（４）コミュニケーション手段：アプリケーションの他の利用者に対する情報発信や、利用者間のメッセージのやりとりを実現する手段。
（５）表示手段：各種の遊技データや情報を表示する手段。
【００２９】
（管理装置）
管理装置２０（図１）は、上記の通り、遊技場内の各種機器の稼動状況を集中的に管理するための装置である。管理装置２０は、複数の遊技場各々に設置され、遊技場において会員登録（ホール会員登録）を行うために入力された遊技者の個人情報を記憶する遊技場サーバとしての機能を備えている。
【００３０】
管理装置２０は、液晶ディスプレイ等のＰＣモニタや図示しないプリンタ等を含む出力部と、各種の演算処理を実行する装置本体と、キーボード及び図示しないマウスを含む入力部と、を備えている。装置本体は、演算処理を実行するＣＰＵを中心とした制御機能、ハードディスクドライブ、ＲＯＭ、ＲＡＭ等を利用する記憶機能、及び各種信号あるいは情報を送受信する通信機能等を有している。
【００３１】
管理装置２０は、例えばハードディスクドライブから読み出したソフトウェアプログラムをＣＰＵが実行等することにより、以下の各手段としての機能を備えている。
（１）遊技データ生成手段：各遊技機２で実行された遊技に関する遊技データ（遊技情報）を生成する手段。遊技データ生成手段は、各遊技機２が出力するアウト信号等の遊技信号の受信回数を集計等することで遊技データを生成する。パチンコ遊技機２１については、アウト（消費玉数）、セーフ（払出玉数）、スタート（ゲーム回数）、大当たり回数等の遊技データを遊技機２毎に生成する。スロットマシン２２については、アウト（消費メダル数）、セーフ（払出メダル数）、スタート（ゲーム回数）、ＢＢ回数、ＲＢ回数、ＡＲＴ回数等の遊技データを遊技機２毎に生成する。なお、遊技データの生成は、管理装置２０が実行しても良く、遊技情報表示装置３など遊技機２に付設された機器が実行しても良い。
（２）遊技データ記憶手段：遊技機２毎の遊技データ、およびホール会員毎の個別遊技データを記憶する手段。各遊技機２の遊技データは、遊技機２の識別情報である台番ＩＤを対応付けた状態で記憶される。ホール会員毎の遊技データは、ホール会員の識別情報である会員ＩＤを対応付けた状態で記憶される。
（３）会員情報記憶手段：遊技場に登録済みのホール会員に関する情報を記憶する手段。ホール会員に関する情報には会員ＩＤが対応付けられ、会員ＩＤを介してホール会員毎の個別遊技データとひも付けされている。
（４）登録情報送信手段：ホール会員登録が行われたとき、サーバ装置１００に向けて登録情報を送信する手段。登録情報には、相互に対応付けられた状態のアカウントＩＤ、会員ＩＤが含まれている。
（５）遊技者ＩＤ取得手段：会員カード１７、あるいはホール会員が所持する携帯端末１５から会員ＩＤあるいは端末ＩＤを読み取る手段。ホール会員の会員ＩＤ等を取得できた状態での遊技がホール会員によるログイン遊技として特定される。
【００３２】
（携帯端末登録装置）
図１の携帯端末登録装置２６は、各遊技場においてホール会員登録を行うための装置である。携帯端末登録装置２６は、ホール会員登録を希望する遊技者が利用可能なように景品カウンタ等に複数台、設置される。携帯端末登録装置２６は、会員カード１７の記録情報を読み書きするカードリーダライタ（図示略）を内蔵し、前面にはカード挿入口２６０が設けられている。上面側には、携帯端末１５が表示する２次元コードを読み取るための読取スキャナ（読取装置）２６２が設けられている。この携帯端末登録装置２６は、携帯端末１５が表示出力する２次元コードから読み取った情報を管理装置２０に向けて出力する情報出力手段としての機能を備えている。
【００３３】
（サーバ装置）
図１のサーバ装置１００は、例えば遊技情報提供サービスの運営会社等が管理するコンピュータ装置であり、インターネット回線に接続されている。サーバ装置１００は、インターネット回線を介して各遊技場の遊技場内システム１０と通信可能に接続されている。サーバ装置１００は、複数の遊技場に関する遊技情報を記憶する遊技情報サーバとしての機能と、遊技情報を閲覧するためのアプリケーションプログラムを記憶するアプリケーションサーバとしての機能と、を兼用している。なお、本例に代えて、遊技情報サーバとしての機能と、アプリケーションサーバとしての機能と、を別々の装置としても良く、別々の装置を別の場所に設置しても良い。さらに、サーバ装置１００は、アプリケーションをダウンロードして登録を済ませたアプリ会員間のメールのやり取りを可能とするメールサーバとしての機能も有している。
【００３４】
サーバ装置１００は、以下の各手段としての機能を備えている。
（１）配信手段：遊技場用システム１のサービスを提供するためのアプリケーションをダウンロードする手段。なお、配信手段は、初回のダウンロード以降、適宜のタイミングでバージョンアップソフトを自動的にダウンロードする。これにより、携帯端末１５側では、アプリケーションのバージョンが最新に維持される。
（２）遊技者情報記憶手段：アプリ会員である遊技者の個人情報、遊技者が所持する携帯端末１５の端末ＩＤ、アプリケーションを利用する際のアカウントＩＤ等を記憶し、アプリ会員毎に管理する手段。さらに、ホール会員登録済みの遊技場でのログイン遊技を対象として、遊技時間、使用金額、収支、大当たり回数等の個人遊技データも管理されている。
（３）ホール情報記憶手段：各遊技場に関するホール情報を記憶する手段。ホール情報には、設置された遊技機２の機種内訳や営業案内等の情報のほか、設置された各遊技機２の遊技データ等の情報が含まれる。
（４）機種情報記憶手段：遊技機２の各機種について、遊技性、スペック、遊び方などの機種情報を記憶する手段。
【００３５】
以上のように構成された遊技場用システム１は、各種のサービスを提供するために様々なデータを記憶し、管理している。以下の各データのうち（１）〜（３）は遊技場サーバとしての管理装置２０が管理するデータであり、（４）、（５）はサーバ装置１００が管理するデータである。
【００３６】
（１）遊技機２毎の遊技データ
場内に設置された各遊技機２の遊技データであり、図４は、スロットマシン２２の遊技データの例示である。管理装置２０は、遊技機２の識別情報である台番ＩＤを対応付けて、メダルの投入枚数、払出枚数、ゲーム回数、ＢＢ回数、ＲＢ回数等の遊技データを記憶している。なお、管理装置２０が管理する遊技データは、例えば１０分等の所定時間が経過する毎にサーバ装置１００に対して送信される。
【００３７】
（２）会員マスタデータ
遊技場に登録済みのホール会員を管理するための図５に例示のデータであり、管理装置２０は、遊技場の会員ＩＤを対応付けて、アプリケーションのアカウントＩＤ、アプリケーションをダウンロードした携帯端末１５の端末ＩＤ、氏名や年齢や性別等の個人情報を管理している。なお、会員マスタデータは、アプリケーションを利用してホール会員登録したか否かによらず全てのホール会員を網羅している。アプリケーションＩＤについては、アプリケーションをダウンロードしてホール会員登録したホール会員についてのみ登録される。また、端末ＩＤについては、会員カードを用いたログイン遊技中に、遊技情報表示装置３に携帯端末１５の端末ＩＤを読み取らせる操作を行うことで登録できる。
【００３８】
（３）ホール会員個別遊技データ
遊技場に登録済みの各ホール会員の個別遊技データであり、図６は、会員ＩＤが「１２３４５６７８」のホール会員の遊技データを例示している。同図の会員個別遊技データでは、ホール会員による上記のログイン遊技の履歴である遊技レコードが遊技機２毎に管理され、各遊技レコードでは、遊技機２の台番、遊技開始時刻、遊技終了時刻、ゲーム回数、ＢＢ回数等が管理されている。ホール会員によるログイン遊技は、貸出装置２５による会員カード１７の受付、あるいは遊技情報表示装置３による携帯端末１５の端末ＩＤ読取りによる遊技ログインに応じて特定される。「遊技開始」の項目には、会員カード１７の挿入時、あるいは携帯端末１５の端末ＩＤの読取時の時刻が記録される。「遊技終了」の項目には、会員カード１７の排出時、あるいは端末ＩＤの再読取時の時刻が記録される。
【００３９】
（４）アプリ会員データ
アプリケーションをダウンロードして登録を済ませたアプリ会員のデータであり、サーバ装置１００は、図７に例示する通り、アプリ会員の識別情報であるアカウントＩＤを対応付けて、メールアドレス、パスワード、携帯端末１５の端末ＩＤのほか、氏名、年齢等の個人情報、遊技場毎の会員ＩＤを記憶し管理している。遊技場毎の会員ＩＤとしては、１００店舗まで対応可能であり、サーバ装置１００では、会員ＩＤの記憶領域が１００データ分用意されている。
（５）アプリ会員個別遊技データ
アプリケーションに登録済みのアプリ会員の個別遊技データである。アプリ会員毎の個別遊技データとしては、遊技時間、使用金額、収支、大当たり回数などが日毎、遊技場毎に管理される。例えば同じ日に２以上の遊技場で遊技した場合には、その日の個別遊技データが遊技場毎に区別して管理される。
【００４０】
次に、遊技場用システム１が提供するサービスを利用するための手順について説明する。遊技場用システム１が提供するサービスを利用するに当たっては、予め運営会社のサイトにアクセスし、アプリケーションを携帯端末１５にダウンロードする必要がある。
【００４１】
アプリケーションを起動した携帯端末１５の画面１５０には、図８（ａ）に例示するログイン画面が表示される。ログイン画面には、アプリケーションを利用するための新規会員登録ボタン１５１、ログインボタン１５３、スキップボタン１５５が配置されている。新規会員登録ボタン１５１は、アプリケーションの利用に必要なアプリ会員登録を開始するためのボタンである。ログインボタン１５３は、アプリ会員登録済みの利用者が、登録済みのアカウントＩＤ及びパスワードを入力してログインするためのボタンである。スキップボタン１５５は、アプリ会員登録をスキップするためのボタンである。このスキップボタン１５５を操作すれば、アプリ会員登録前であってもアプリケーションが提供するサービスの一部を限定利用可能である。
【００４２】
なお、アプリ会員登録の際の入力項目としては以下の各項目が設定されている。
（Ａ）必須項目
アプリケーションを起動するためのアカウントＩＤ、及びパスワード。
（Ｂ）任意項目
氏名、生年月日、性別、住所、暗証番号等の個人情報。
【００４３】
（Ｂ）任意項目の個人情報のうち、氏名、生年月日、性別、住所等は、各遊技場でのホール会員登録に必要な項目であり、これらの項目が入力済みであれば、携帯端末１５を利用して簡単にホール会員登録が可能である。暗証番号は、遊技者が獲得した玉（メダル）を遊技場側に貯玉として預け入れ、後で引き出して再遊技を可能とする貯玉サービスを利用するために必要となる入力項目である。なお、上記の入力事項については、アプリ会員登録時に入力可能であると共に、アプリケーションのダウンロード後であればいつでも入力あるいは変更等が可能である。
【００４４】
アプリ会員登録済みの状態でログインすると、携帯端末１５の画面１５０が図８（ｂ）のメニュー画面に切り換わる。メニュー画面では、提供する以下の各サービスに対応するメニューボタンが配置されている。「機種情報」メニュー１５６Ａは、遊技機２の機種に関する様々な情報（スペック、遊び方等）を表示するメニューである。「ホール情報」メニュー１５６Ｂは、各遊技場に関する情報（住所、営業時間、設置機種等）を表示するメニューである。「みんなの遊技広場」メニュー１５６Ｃは、アプリケーション利用者が投稿した口コミ情報を表示するメニューである。「動画」メニュー１５６Ｄは、無料の動画コンテンツを視聴するメニューである。「収支帳」メニュー１５６Ｅは、遊技者自身が遊技の収支を入力し、管理するメニューである。「ＱＲコード（Ｒ）」メニュー１５６Ｆは、登録済みの個人情報を二次元コード化して表示するメニューである。「ＱＲコード（Ｒ）」メニュー１５６Ｆの操作が個人情報出力操作に相当しており、特定の遊技場でホール会員登録を行うときに必要となる。「その他」メニュー１５６Ｇは、個人情報の登録など、各種の設定に関する操作を行うためのメニューである。
【００４５】
アプリケーションを介して遊技場用システム１が提供するサービスとしては、以下のサービスがある。
（１）特定遊技場の遊技データ閲覧サービス
上記の「ホール情報」メニュー１５６Ｂに対応するサービス。この遊技データ閲覧サービスでは、任意に選択した遊技場の営業案内や、各遊技機２の遊技データを携帯端末１５の画面１５０に表示して遊技者に閲覧させる。
（２）遊技機２の機種情報閲覧サービス
上記の「機種情報」メニュー１５６Ａに対応するサービス。この遊技情報閲覧サービスでは、任意に選択した機種の遊技性、スペック、遊び方などの情報を携帯端末１５の画面１５０に表示して遊技者に閲覧させる。
（３）利用者本人の遊技データ管理サービス
上記の「収支帳」メニュー１５６Ｅに対応するサービス。この遊技データ管理サービスでは、アプリ会員である遊技者自身の個別遊技データ（遊技時間、使用金額、収支、大当たり回数など）を集計管理している。携帯端末１５では、日毎、月毎、遊技場毎の個別遊技データを閲覧できる。
（４）ＧＰＳ連動遊技場案内サービス
携帯端末１５が備えるＧＰＳ機能と連動し、ＧＰＳ機能により補足された位置に基づく近隣の遊技場を携帯端末１５の画面１５０上で案内するサービス。
（５）ＳＮＳサービス
上記の「みんなの遊技広場」メニュー１５６Ｃに対応するサービス。ＳＮＳサービスは、アプリ会員である遊技者間のコミュニケーションを可能とするサービス。メール交換サービスや、メッセージ発信サービス等がある。
（６）事前個人情報登録サービス
上記の「その他」メニュー１５６Ｇにより提供されるサービスのひとつ。事前個人情報登録サービスは、特定の遊技場でホール会員登録する際に必要となる個人情報を事前に登録しておくためのサービスである。個人情報が事前登録されていれば、上記の個人情報出力操作による個人情報の出力が可能になる。
【００４６】
ここで、上記の（６）事前個人情報登録サービスについて詳しく説明する。上記のアプリ会員登録時の入力項目のうち、暗証番号を除く前記（Ｂ）任意項目の各項目の情報が、ホール会員登録に必要な個人情報となる。携帯端末１５は、アプリケーションに含まれる上記の個人情報登録プログラムを実行することにより遊技者が入力した個人情報を記憶する。さらに、個人情報を登録済みの携帯端末１５が表示するメニュー画面（図８（ｂ））上で「ＱＲコード（Ｒ）」メニュー１５６Ｆを操作するという個人情報出力操作に応じて、携帯端末１５は、登録済みの個人情報を二次元コード化して画面１５０に表示出力する（図９参照。）。
【００４７】
いずれかの遊技場でのホール会員登録を希望する遊技者は、個人情報を表す２次元コードを表示中の携帯端末１５の画面１５０を携帯端末登録装置２６の読取スキャナ２６２にかざすだけでよい。一方、ホール会員登録を待機中の携帯端末登録装置２６では、内蔵するカードリーダライタに未登録の会員カード１７がセットされた状態にある。携帯端末登録装置２６は、携帯端末１５が表示する２次元コードから個人情報を読み取ったとき、未登録の会員カード１７に会員ＩＤを書き込むと共に読み取った個人情報に会員ＩＤを対応付けて管理装置２０に送信する。
【００４８】
このようにして遊技場サーバとしての管理装置２０は、ホール会員登録の処理を実行する際に携帯端末１５が出力した個人情報を取り込む。具体的には、管理装置２０は、上記の個人情報出力操作に応じて携帯端末１５が表示出力した二次元コードから読取スキャナ２６２が読み取った個人情報を取り込み、アカウントＩＤ・個人情報・会員ＩＤの３つを対応付けた状態で記憶し、ホール会員登録を実行する。管理装置２０は、ホール会員登録の後、会員ＩＤ及びアカウントＩＤと共にホール会員登録を実行した旨をサーバ装置１００に通知し、携帯端末登録装置２６に対しては登録を表す信号を返信する。携帯端末登録装置２６は、登録を表す信号を受信すると、会員ＩＤを記録した会員カード１７を発行する。
【００４９】
なお、以上のようなホール会員登録は、複数の遊技場でそれぞれ実行可能となっている。サーバ装置１００では、図７のアプリ会員データに例示した通り、ホール会員登録済みの遊技場が増える毎に会員ＩＤが１００個を上限として追加される。
【００５０】
一方、上記の（６）事前個人情報登録サービスを利用しない場合は、従来通り、各遊技場で所定のホール会員申込用紙に必要事項を記入して遊技場に提出することでホール会員登録を行うことも可能である。この場合には、申込用紙に記入された事項を遊技場従業員が読み取りながら管理装置２０に手入力してホール会員登録を実行して、会員カード１７を発行する。
【００５１】
このように遊技場用システム１においてダウンロード可能なアプリケーションプログラムは、遊技データの閲覧を可能とするプログラムのほか、遊技者の個人情報を登録するための個人情報登録プログラムを含んでいる。このアプリケーションプログラムをダウンロードした携帯端末１５であれば、個人情報出力操作に応じて個人情報を出力できる。遊技場サーバとしての管理装置２０は、携帯端末１５が出力した個人情報を取り込むことで、各遊技場におけるホール会員登録の処理を実行可能である。
【００５２】
この遊技場用システム１によれば、遊技場に関する遊技情報を閲覧するためのアプリケーションを携帯端末１５にダウンロードした遊技者が、遊技場にてホール会員登録するための個人情報をアプリケーション上で予め登録しておき、後日、遊技場へ行ったときに登録済みの個人情報を提示してホール会員登録を実行できる。アプリケーション上で登録した個人情報は全ての遊技場に対して有効となるので、一度登録しておけば全ての遊技場において使い回しが可能である。したがって、特に複数の遊技場でホール会員登録したい利用者にとっては、ホール会員登録に要する手続の負担が極めて小さくなる。
【００５３】
遊技場用システム１では、各遊技場でのホール会員登録時に必要となる個人情報を、携帯端末１５が二次元コード化して表示出力する。遊技場サーバとしての管理装置２０は、携帯端末１５が表示出力した二次元コードから携帯端末登録装置２６が読み取った個人情報を取り込んでホール会員登録の処理を実行する。個人情報を２次元コード化して表示出力すれば、読取装置である携帯端末登録装置２６の読取スキャナ２６２に携帯端末１５の画面１５０をかざすだけで、ホール会員登録に必要な個人情報を極めて簡単に出力可能である。
【００５４】
以上のように、本例の遊技場用システム１は、アプリケーションのダウンロードにより遊技者に遊技情報を提供すると共に、ホール会員登録する際の手続の負担を軽減して面倒な手続を解消することで各遊技場での会員登録を促進できる有用なシステムである。
【００５５】
本例の構成に代えて、あるいは加えて以下のような構成を採用することも良い。また、以下の各構成を適宜組み合わせて採用することも良い。
本例では、遊技情報サーバとアプリケーションサーバとを１台のサーバで兼用しているが、別々のサーバで構成することも良い。
携帯端末１５が記憶する個人情報を二次元コード化して出力する構成を例示したが、ＮＦＣ（近距離通信機能）を利用してホール会員登録に必要な個人情報を出力することも良い。２次元コード化して個人情報を出力する構成と、ＮＦＣを利用して個人情報を出力する構成と、を両方設けることも良い。
【００５６】
本例では、遊技機の上方に設置した遊技情報表示装置を例示したが、遊技情報表示装置は遊技機の側方に設置してもよい。また、遊技情報表示装置と、従業員を呼び出す機能を備える呼出表示装置と、を一体的に構成したり、遊技情報表示装置と、貸出装置と、を一体的に構成してもよい。
【００５７】
アプリケーションプログラムを携帯端末１５に予めダウンロードする構成を例示して説明したが、アプリケーションをダウンロードすることなく、各種サービスを提供するＡＳＰ（Application Service Provider）型のウェブサイトを設けることも良い。
【００５８】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更あるいは適宜組み合わせた技術を包含している。
【符号の説明】
【００５９】
１  遊技場用システム
１０  遊技場内システム
１００  サーバ装置（遊技情報サーバ、アプリケーションサーバ、配信手段、遊技者情報記憶手段、ホール情報記憶手段、機種情報記憶手段）
１５  携帯端末（携帯端末装置、個人情報登録手段、コード表示手段、遊技場案内手段、コミュニケーション手段、表示手段）
１７  会員カード
２  遊技機
２０  管理装置（遊技場サーバ、遊技データ生成手段、遊技データ記憶手段、会員情報記憶手段、登録情報送信手段、遊技者ＩＤ取得手段）
２１  パチンコ遊技機
２２  スロットマシン
２５  貸出装置
２６  携帯端末登録装置（情報出力手段）
２６２  読取スキャナ（読取装置）
２９  中継装置
３  遊技情報表示装置
【図１】
2017099427.tif 000003
【図２】
2017099427.tif 000004
【図３】
2017099427.tif 000005
【図４】
2017099427.tif 000006
【図５】
2017099427.tif 000007
【図６】
2017099427.tif 000008
【図７】
2017099427.tif 000009
【図８】
2017099427.tif 000010
【図９】
2017099427.tif 000011